(57)【要約】【課題】原稿の修正ページを容易に見つけ出すことができる技術を提供することを課題とする。【解決手段】デジタル複合機１において、スキャナは、原稿４１を読み取り、各ページに対応するページ画像データ４３，４３・・・を有する原稿画像データ４２を作成する。画素確認部１６２は、ページ画像データ４３の各画素の色を検出し、ページ画像データ４３が指定色設定部１６１により設定された指定色の画素を有しているか否かを判定する。結果ファイル作成部１６３は、指定色の画素が検出されたページ画像データ４３を一つのファイルとしてまとめることにより、修正ページデータ４４を作成する。【選択図】図１
2011223090.tif 000002
【特許請求の範囲】
【請求項１】
原稿がスキャンされることにより生成され、前記原稿の各ページに対応するページ画像データを有する画像データを記憶する記憶部と、
前記ページ画像データの画素の色を確認して、前記ページ画像データが指定色を有する画素である指定色画素を含むか否かを判定する画素確認部と、
前記指定色画素を含むページ画像データにより構成される結果ファイルを作成する結果ファイル作成部と、
を備える画像判定装置。
【請求項２】
請求項１に記載の画像判定装置において、さらに、
グレースケールを除く有彩色を前記指定色として設定する指定色設定部、
を備え、
前記画素確認部は、前記ページ画像データの画素の中から選択した選択画素と、前記ページ画像データにおけるグレースケールの画素との距離が所定距離よりも大きい場合、前記選択画素の色を確認する画像判定装置。
【請求項３】
請求項１に記載の画像判定装置において、さらに、
外部から入力された情報に基づいて前記指定色を設定する指定色設定部、
を備え、
前記画素確認部は、前記ページ画像データの画素の中から選択した選択画素と、前記ページ画像データにおける前記指定色を除く有彩色の画素との距離が所定距離よりも大きい場合、前記選択画素の色を確認する画像判定装置。
【請求項４】
請求項１ないし請求項３のいずれかに記載の画像判定装置において、
前記画素確認部は、所定の条件を満たす画素を前記ページ画像データから抽出し、抽出された画素の色を確認する画像判定装置。
【請求項５】
請求項１ないし請求項３のいずれかに記載の画像判定装置において、
前記画素確認部は、前記指定色画素を含むか否かを判定中のページ画像データにおいて前記指定色画素を検出した場合、前記判定中のページ画像データの画素の色の確認を中止する画像判定装置。
【請求項６】
コンピュータにインストールさせることにより、前記コンピュータを、
原稿がスキャンされることにより生成され、前記原稿の各ページに対応するページ画像データを有する画像データを記憶する記憶部と、
前記ページ画像データの画素の色を確認して、前記ページ画像データが指定色を有する画素である指定色画素を含むか否かを判定する画素確認部と、
前記指定色画素を含むページ画像データにより構成される結果ファイルを作成する結果ファイル作成部と、
として機能させるための画像判定プログラム。
【発明の詳細な説明】
【技術分野】
【０００１】
本発明は、画像データの画素の色を判定する画像判定装置及び画像判定プログラムに関する。
【背景技術】
【０００２】
デジタル複合機は、スキャナ、プリンタ、ファックスなどの様々な機器を備えており、オフィスなどで利用されている。デジタル複合機は、上記の各機器が有する機能の他に、スキャナ及びプリンタを利用したコピー機能などを提供することができる。
【０００３】
コピー機能の他にも、スキャナを利用した様々な機能が考えられている。下記特許文献１には、スキャナが原稿を読み取って作成した原稿画像データのうち、ユーザが特定の色のペンで囲んだ領域に対応する画像データを抽出して記憶する画像処理装置が開示されている。ユーザは、原稿画像データの編集を行うことなく、所望の領域に対応する画像データを得ることができる。
【先行技術文献】
【特許文献】
【０００４】
【特許文献１】特開平５−３１６３２３号公報
【発明の概要】
【発明が解決しようとする課題】
【０００５】
原稿作成者が作成した複数ページの原稿を、チェック者が筆記用具などを用いて加筆による修正を行うことがある。原稿作成者は、チェックの後に、原稿に対して加筆による修正が行われたページがあるか否かを、一枚ずつ確認する必要がある。しかし、原稿のページ数が多くなるにつれて、修正が行われたページを作成者が見落とすなどの確認ミスが発生するおそれがある。
【０００６】
そこで、本発明は、上記問題点に鑑み、原稿の修正ページを容易に見つけ出すことができる技術を提供することを目的とする。
【課題を解決するための手段】
【０００７】
上記課題を解決するために、請求項１の発明は、画像判定装置であって、原稿がスキャンされることにより生成され、前記原稿の各ページに対応するページ画像データを有する画像データを記憶する記憶部と、前記ページ画像データの画素の色を確認して、前記ページ画像データが指定色を有する画素である指定色画素を含むか否かを判定する画素確認部と、前記指定色画素を含むページ画像データにより構成される結果ファイルを作成する結果ファイル作成部と、を備える。
【０００８】
請求項２記載の発明は、請求項１に記載の画像判定装置において、さらに、グレースケールを除く有彩色を前記指定色として設定する指定色設定部、を備え、前記画素確認部は、前記ページ画像データの画素の中から選択した選択画素と、前記ページ画像データにおけるグレースケールの画素との距離が所定距離よりも大きい場合、前記選択画素の色を確認する。
【０００９】
請求項３記載の発明は、請求項１に記載の画像判定装置において、さらに、外部から入力された情報に基づいて前記指定色を設定する指定色設定部、を備え、前記画素確認部は、前記ページ画像データの画素の中から選択した選択画素と、前記ページ画像データにおける前記指定色を除く有彩色の画素との距離が所定距離よりも大きい場合、前記選択画素の色を確認する。
【００１０】
請求項４記載の発明は、請求項１ないし請求項３のいずれかに記載の画像判定装置において、前記画素確認部は、所定の条件を満たす画素を前記ページ画像データから抽出し、抽出された画素の色を確認する。
【００１１】
請求項５記載の発明は、請求項１ないし請求項３のいずれかに記載の画像判定装置において、前記画素確認部は、前記指定色画素を含むか否かを判定中のページ画像データにおいて前記指定色画素を検出した場合、前記判定中のページ画像データの画素の色の確認を中止する。
【００１２】
請求項６記載の発明は、画像判定プログラムであって、コンピュータにインストールさせることにより、前記コンピュータを、原稿がスキャンされることにより生成され、前記原稿の各ページに対応するページ画像データを記憶する記憶部と、前記ページ画像データの画素の色を確認して、前記ページ画像データが指定色を有する画素である指定色画素を含むか否かを判定する画素確認部と、前記指定色画素を含むページ画像データにより構成される結果ファイルを作成する結果ファイル作成部と、として機能させる。
【発明の効果】
【００１３】
本発明に係る画像判定装置は、指定色の画素を有するページ画像データをまとめた結果ファイルを作成する。これにより、チェック者が原稿の修正に用いた筆記用具の色が指定色として指定されていた場合、本発明の画像判定装置を用いて原稿の修正ページを容易に見つけ出すことができる。
【図面の簡単な説明】
【００１４】
【図１】本発明の実施の形態に係るデジタル複合機の機能的構成を示すブロック図である。
【図２】原稿画像データの構成を示す図である。
【図３】修正ページ検出処理の流れを示すフローチャートである。
【図４】グレースケールの画素と、色を確認する画素との位置関係を示す図である。
【発明を実施するための形態】
【００１５】
｛デジタル複合機の構成｝
以下、図面を参照しつつ、本発明の実施の形態を詳しく説明する。図１は、本実施の形態に係るデジタル複合機１の機能的構成を示すブロック図である。
【００１６】
デジタル複合機１は、オフィスなどに設置され、プリンタやコピー機などとして用いられる事務用機器である。デジタル複合機１は、ＬＡＮ（Ｌｏｃａｌ  Ａｒｅａ  Ｎｅｔｗｏｒｋ）３を介して、ＰＣ（Ｐｅｒｓｏｎａｌ  Ｃｏｍｐｕｔｅｒ）２，２に接続されている。
【００１７】
ＰＣ２，２は、オフィスの社員が操作する端末である。社員は、ＰＣ２を操作して、デジタル複合機１の様々な機能を利用することができる。たとえば、社員は、デジタル複合機１をプリンタとして使用することが可能である。
【００１８】
デジタル複合機１の構成について詳しく説明する。デジタル複合機１は、スキャナ１１と、プリンタ１２と、タッチパネル式ディスプレイ１３と、記憶部１４と、ネットワーク部１５と、制御部１６とを備える。図１に示す構成の他に、デジタル複合機１は、公衆回線網に接続されたファックスなどを備えている。
【００１９】
スキャナ１１は、原稿４１を１枚ずつ読み取って、原稿画像データ４２を作成する。原稿画像データ４２は、図２に示すように、原稿４１の各ページに対応するページ画像データ４３，４３・・・を含む。本実施の形態において、原稿４１を作成したユーザとは別のチェック者が、原稿４１に対する加筆による修正を行う。
【００２０】
プリンタ１２は、ＰＣ２から送信された印刷データなどを、各種の設定条件に応じて印刷用紙に印刷する。
【００２１】
タッチパネル式ディスプレイ１３は、デジタル複合機１に関する情報、および各種の操作メニューを表示する。ユーザは、タッチパネル式ディスプレイ１３を利用して、デジタル複合機１の各種操作をすることが可能である。デジタル複合機１は、タッチパネル式ディスプレイ１３の他に、デジタル複合機１の操作に用いるボタンなどのハードウェアキーを備えていてもよい。
【００２２】
記憶部１４は、ハードディスク装置などで構成される。記憶部１４には、原稿画像データ４２あるいはファックスの受信データなどが格納される。
【００２３】
ネットワーク部１５は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）などのプロトコルを利用して、ＰＣ２，２との通信を行う。
【００２４】
制御部１６は、ＣＰＵ（Ｃｅｎｔｒａｌ  Ｐｒｏｃｅｓｓｉｎｇ  Ｕｎｉｔ、図示省略）及びＲＡＭ（Ｒａｎｄａｍ  Ａｃｃｅｓｓ  Ｍｅｍｏｒｙ）１６０などを備え、デジタル複合機１の全体制御を行う。制御部１６は、指定色設定部１６１と、画素確認部１６２と、結果ファイル作成部１６３とを備える。指定色設定部１６１、画素確認部１６２、及び結果ファイル作成部１６３は、修正ページ検出処理を実行するための機能部である。修正ページ検出処理は、原稿４１のうち修正がされた修正ページを検出する処理である。
【００２５】
指定色設定部１６１は、ページ画像データ４３が修正ページに対応するか否かを判定するために用いられる指定色を設定する。たとえば、チェック者が原稿４１の加筆による修正を行うときに用いた筆記用具の色が指定色として設定される。指定色の設定方法については、後述する。
【００２６】
画素確認部１６２は、ページ画像データ４３の各画素の画素値に基づいて、画素の色を確認する。画素確認部１６２は、確認した画素の色に基づいて、ページ画像データ４３から指定色を有する画素（指定色画素）を検出する。指定色画素が検出されたページ画像データ４３が、修正ページに対応すると判定される。結果ファイル作成部１６３は、指定色画素が検出されたページ画像データ４３を原稿画像データ４２から抽出して、修正ページデータ４４を生成する。
【００２７】
このように、デジタル複合機１は、修正ページ検出処理を実行することにより、原稿４１のうち修正ページに対応するページ画像データ４３で構成される修正ページデータ４４を作成する。これにより、デジタル複合機１のユーザは、修正された原稿４１を一枚ずつ確認しなくても、修正ページを容易に見つけ出すことができる。
【００２８】
｛デジタル複合機１の動作の流れ（モノクロ原稿の場合）｝
以下、デジタル複合機１が行う修正ページ検出処理の流れについて詳しく説明する。まず、原稿４１の色がモノクロ（グレースケール）であり、チェック者が黒及び灰色を除く有彩色（赤、青など）で原稿４１に対して加筆による修正を行ったケースを説明する。原稿４１がグレースケールである。このため、チェック者は、修正内容と、原稿４１の本来の記載内容とが区別できるように、赤または青などの有彩色の筆記用具を用いて原稿４１を修正する。
【００２９】
まず、ユーザは、原稿４１をスキャナ１１のオートドキュメントフィーダ（図示省略）にセットする。ユーザは、タッチパネル式ディスプレイ１３を操作して、原稿４１がモノクロの原稿である旨の設定など、修正ページ検出処理の設定を行う。ユーザは、設定が終了した後に、修正ページ検出処理の開始をデジタル複合機１に指示する。
【００３０】
図３は、修正ページ検出処理の流れを示すフローチャートである。図３に示すフローチャートは、修正ページ検出処理の開始指示に応じて開始される。
【００３１】
スキャナ１１は、ユーザの指示に応じて、原稿４１を１ページずつ読み取り、各ページに対応するページ画像データ４３，４３，・・・を生成する（ステップＳ１）。原稿４１の読み取りは、ＲＧＢ（Ｒｅｄ，Ｇｒｅｅｎ，Ｂｌｕｅ）の色空間に対応したフルカラーモードで行われる。ページ画像データ４３，４３，・・・は、一つのファイルにまとめられ、原稿画像データ４２として記憶部１４に保存される。スキャナ１１は、原稿画像データ４２を制御部１６のＲＡＭ１６０に一時的に格納してもよい。
【００３２】
チェック者が、原稿４１の３，９ページの修正を行っていたとする。図２に示すように、３ページ目のページ画像データ４３に、チェック者が書き込んだ吹き出し４３１が存在する。９ページ目のページ画像データ４３に、吹き出し４３２が存在する。チェック者は、吹き出し４３１，４３２における線画及び文字を、赤色の筆記用具を用いて原稿４１に書き込んでいる。このため、原稿画像データ４２がＰＣ２のモニタなどに表示された場合、吹き出し４３１，４３２は赤で表示され、その他の領域の文字などは、黒で表示される。
【００３３】
図２では、チェック者が書き込んだ修正内容を分かりやすく示すために、修正内容を吹き出し４３１，４３２として示している。しかし、チェック者は、自身が書き込んだ修正内容を、吹き出し４３１，４３２のように線などで囲む必要はない。チェック者は、有彩色の筆記用具を用いて、修正内容を原稿４１に書き込めばよい。
【００３４】
再び、図３を参照する。指定色設定部１６１は、原稿４１がモノクロ原稿であると設定されているため、有彩色を指定色として設定する（ステップＳ２）。有彩色は、白、灰色、及び黒を除く全ての色（赤、青、及び黄色など）を含む。ユーザは、原稿４１がモノクロであると設定することにより、指定色を設定しなくてもよい。
【００３５】
画素確認部１６２が、先頭の１ページ目に対応するページ画像データ４３を判定対象として特定する（ステップＳ３）。画素確認部１６２は、１ページ目に対応するページ画像データ４３の画素を一定の間隔で抽出する（ステップＳ４）。後述するように、画素確認部１６２は、ステップＳ４の処理により抽出された抽出画素の色の確認を行う。これにより、色の確認を行う画素の数が削減されるため、修正ページ検出処理を高速化することができる。
【００３６】
画素確認部１６２は、抽出画素をＲＧＢ方式の色空間から、ＨＬＳ（Ｈｕｅ，Ｓａｔｕｒａｔｉｏｎ，Ｌｉｇｈｔｎｅｓｓ）方式の色空間に変換する（ステップＳ５）。ＨＬＳ方式の色空間に変換することにより、抽出された各画素の色相判定が容易となる。色相とは、色の属性の一つで、赤や黄色といった色の違いを示すパラメータである。
【００３７】
画素確認部１６２は、色を確認する抽出画素を決定する（ステップＳ６）。たとえば、図２の左上から水平方向に走査するようにして、抽出画素を決定する順序を予め設定しておけばよい。これにより、画素確認部１６２は、設定した順序に従って色を確認する抽出画素を決定することができる。画素確認部１６２は、決定した抽出画素を修正ページの判定に用いることができるか否かを、抽出画素の位置に基づいて決定する（ステップＳ７）。
【００３８】
図４は、抽出画素と、グレースケールの画素との位置関係を示す図である。図４は、１ページ目のページ画像データ４３（図２参照）中の領域５１を拡大した図である。図４において、ハッチングで示す文字５２が、ユーザが原稿４１を作成したときに書き込まれたグレースケールの画素に対応する。文字５２の色は、実際には黒である。抽出画素及びグレースケールの画素の位置は、原稿５１上の位置を示す。つまり、ページ画像データ４３の画素の位置は、原稿５１の各ページの左上の頂点を原点とした２次元座標で表わされる。
【００３９】
スキャナ１１がモノクロの原稿４１をフルカラーモードで読み取るときに、色ずれと呼ばれる現象が発生する。１ページ目のページ画像データ４３において、文字５２の周囲の領域５３に位置する画素の色は、本来、白となるはずである。しかし、色ずれの発生に伴って、領域５３の画素の色が、グレースケールではない有彩色となる。色ずれは、スキャナ１１において、赤、青、及び緑のそれぞれに対応する撮像素子が原稿４１を読み取るタイミングがずれるために発生する。
【００４０】
指定色が有彩色に設定されているため（ステップＳ２、図３参照）、色ずれにより領域５３の画素が有彩色となっている場合、画素確認部１６２が、１ページ目のページ画像データ４３を誤って修正ページと判定する可能性がある。これを防止するため、画素確認部１６２は、特定した抽出画素とグレースケールの画素との距離が所定の距離より短い場合、特定した抽出画素を修正ページの判定に使用しないと決定する（ステップＳ７においてＮｏ）。ページ画像データ４３の画素間の距離は、原稿５１の左上の頂点を基準とした２次元座標に基づいて算出される。所定の距離は、グレースケールの画素の周囲で色ずれの影響を受けないと想定される距離（３ピクセルなど）が設定される。上述の所定の距離を、ユーザが設定できるようにしてもよい。一方、特定した抽出画素とグレースケールの画素との原稿４１における距離が所定の距離より長ければ、画素確認部１６２は、特定した抽出画素を、修正ページの判定に使用することを決定する（ステップＳ７においてＹｅｓ）。
【００４１】
画素確認部１６２は、特定した抽出画素を修正ページの判定に用いることができない場合（ステップＳ７においてＮｏ）、全ての抽出画素の色の確認が終了したか否かを確認する（ステップＳ８）。全ての抽出画素の色の確認が終了していなければ（ステップＳ８においてＮｏ）、画素確認部１６２は、次の抽出画素の色を判定するために、ステップＳ６の処理に戻る。全ての抽出画素の色の確認が終了したのであれば（ステップＳ８においてＮｏ）、ステップＳ１１の処理が実行される。ステップＳ１１の処理の詳細は、後述する。
【００４２】
画素確認部１６２は、特定した抽出画素を修正ページの判定に用いることができるのであれば（ステップＳ７においてＹｅｓ）、特定した抽出画素の色が指定色であるか否かを確認する（ステップＳ９）。上述したように、ステップＳ２において、グレースケールの色（白、灰色、及び黒）を除く色（全ての有彩色）が指定色として設定されている。特定した抽出画素の色がグレースケールであれば（ステップＳ９においてＮｏ）、画素確認部１６２は、ステップＳ８の処理を実行する。
【００４３】
一方、特定した抽出画素の色が指定色であれば（ステップＳ９においてＹｅｓ）、画素確認部１６２は、判定対象のページ画像データ４３が修正ページに対応すると判定する（ステップＳ１０）。画素確認部１６２は、指定色を有する画素を検出した場合、判定対象のページ画像データ４３における抽出画素の色を確認する処理（ステップＳ６〜Ｓ９）を中止する。これは、判定対象のページ画像データ４３が修正ページであると判定された以上、残りの抽出画素の色を確認する必要がないためである。全ての抽出画素の色を確認しなくてもよいため、修正ページ検出処理を高速化することができる。
【００４４】
画素確認部１６２は、指定色の画素の数が所定数を超えた場合に、判定対象のページ画像データ４３が修正ページに対応すると判定してもよい。これにより、画素確認部１６２が、チェック者が修正を行っていないページを修正ページであると誤判定する可能性を少なくすることができる。
【００４５】
画素確認部１６２は、全てのページ画像データ４３の判定が終了していなければ（ステップＳ１１においてＮｏ）、ステップＳ３の処理に戻る。全てのページ画像データ４３が修正ページであるか否かの判定が終了したのであれば（ステップＳ１１においてＹｅｓ）、結果ファイル作成部１６３が、修正ページデータ４４を作成する（ステップＳ１２）。具体的には、結果ファイル作成部１６３は、記憶部１４に記憶されている原稿画像データ４２を取得し、修正ページに対応するページ画像データ４３のコピーを生成する。コピーされたページ画像データ４３を一つのファイルとしてまとめることにより、修正ページデータ４４が作成される。修正ページデータ４４のファイル形式として、ＰＤＦ（Ｐｏｒｔａｂｌｅ  Ｄｏｃｕｍｅｎｔ  Ｆｏｒｍａｔ）などを用いることができる。修正ページデータ４４は、記憶部１４に格納される。
【００４６】
以上説明したように、本実施の形態のデジタル複合機１は、指定色の画素を有するページ画像データ４３を特定し、特定したページ画像データ４３により構成される修正ページデータ４４を作成する。ユーザは、修正ページデータ４４を確認することにより、修正されたページがどのページであるかを確実に確認することができる。
【００４７】
原稿４１がモノクロ原稿である場合、指定色設定部１６１が、自動的に指定色を有彩色に設定する。このため、ユーザは、指定色を設定しなくてもよい。チェック者が原稿４１の修正に用いる筆記用具は、有彩色であればよい。
【００４８】
｛カラー原稿の場合｝
次に、原稿４１がカラー原稿である場合における、修正ページ判定処理の流れについて説明する。原稿４１がカラー原稿であるときも、図３に示すフローチャートに従って修正ページ判定処理が実行される。
【００４９】
以下、原稿４１がモノクロ原稿である場合と異なる点を中心に説明する。原稿４１がカラー原稿である場合、チェック者は、原稿４１で使用されていない色の筆記用具を用いて、原稿４１を修正する。
【００５０】
ユーザは、修正ページ検出処理をデジタル複合機１に実行させるために、原稿４１がカラー原稿である旨を設定するとともに、指定色を設定する。たとえば、指定色設定部１６１は、タッチパネル式ディスプレイ１３に複数の色のリストを表示する。ユーザは、複数の色のリストから、チェック者が使用した筆記用具の色（原稿４１で使用されていない色）を選択する。ユーザが選択した色が、指定色として設定される。この場合、図２に示すステップＳ３の処理が省略される。
【００５１】
ユーザは、指定色を設定するために、原稿４１と同じサイズの白い紙の一部を、チェックに用いられた筆記用具で塗りつぶしたカバーページを作成してもよい。この場合、カバーページを原稿４１の先頭ページとして、スキャナ１１に読み取らせる。指定色設定部１６１は、ステップＳ３において、カバーページ（先頭ページ）に対応するページ画像データ４３の画素から検出した有彩色を、指定色として設定する。複数の色が原稿のチェックに用いられている場合、カバーページを利用することで指定色の設定が容易になる。
【００５２】
原稿４１がカラー原稿であっても、色ずれの発生に伴って、指定色を有する画素が、修正ページに対応しないページ画像データ４３に発生するおそれがある。このため、原稿４１がカラー原稿である場合、ステップＳ７の処理として、以下の処理を実行する。ユーザが指定色として赤を設定したケースを考える。この場合、画素確認部１６２は、原稿４１で使用された色（使用色）として、黒、灰色、及び赤を除く有彩色を設定する。画素確認部１６２は、使用色を有する画素と特定した抽出画素との原稿４１における距離が所定の距離より長ければ、特定した抽出画素を修正ページの判定に使用する（ステップＳ７においてＹｅｓ）。これにより、原稿４１がカラー原稿であっても、色ずれに伴う修正ページの誤判定を防止することができる。
【００５３】
抽出画素の色が指定色であるか否かを確認する処理（ステップＳ９）においても、判定基準が異なる。画素確認部１６２は、抽出画素の色が指定色を中心した所定の範囲に含まれていれば、抽出画素が指定色を有すると判定する。これは、スキャナ１１の撮像素子の精度にばらつきがあるため、チェック者が使用した筆記用具の色をスキャナ１１が正確に検知することが難しいためである。
【００５４】
本実施の形態では、デジタル複合機１が修正ページ判定処理を実行する例を説明した。しかし、ＰＣ２が修正ページ判定処理を実行してもよい。具体的には、ＰＣ２を指定色設定部１６１、画素確認部１６２、及び結果ファイル作成部１６３として機能させるためのプログラムをＰＣ２にインストールすることにより、ＰＣ２で修正ページ判定処理を実行することが可能となる。ＰＣ２は、作成した修正ページデータ４４をモニタに表示させるなどの処理を行ってもよい。ユーザは、ＰＣ２を用いて指定色を設定する場合、ＰＣ２のモニタに表示された有彩色のリスト中から指定色を選択してもよい。
【符号の説明】
【００５５】
１  デジタル複合機
２  ＰＣ
１１  スキャナ
１２  プリンタ
１３  タッチパネル式ディスプレイ
１４  記憶部
１５  ネットワーク部
１６  制御部
１６０  ＲＡＭ
１６１  指定色設定部
１６２  画素確認部
１６３  結果ファイル作成部
【図１】
2011223090.tif 000003
【図２】
2011223090.tif 000004
【図３】
2011223090.tif 000005
【図４】
2011223090.tif 000006